(57)【要約】      （修正有）【課題】排気を必要とする電気掃除機に係るその排気においてその排気音やその電気掃除機に係る部材振動を効率良く低減させることのできる電気掃除機の排気音低減カバーを提供する。【解決の手段】電気掃除機２排気口１１に外側面３を多孔質４とし更に内側面６に弾力空気層５を有する第一のカバーを着脱自在に設け、排気口１１からの排気に排出抵抗を与える第二のカバー部材７を第一のカバー内６２に設け、第二のカバー部材７の後方に空洞室５４を設け、排気を第一カバーの前部に設けた第二の排出口３４から排出させることを特徴とし、それらの統合性によりその電気掃除機２に係る排気音やその排気力による振動おさえてそれらの排気によるエネルギーを低減させる。【選択図】図１
0003185925.tif 000002
【実用新案登録請求の範囲】
【請求項１】
電気掃除機２排気口１１に外側面３を多孔質４とし更に内側面６に弾力空気層５を有する第一のカバー５３を着脱自在に設け、前記排気口１１からの排気１３に排出抵抗を与える第二のカバー部材７を第一のカバー内６２に設け、前記第二のカバー部材７の後方に空洞室５４を設け、排気１３を第一カバー５３の前部３４に設けた第二の排出口３４から排出させることを特徴とする電気掃除機の排気音低減カバー。
【請求項２】
前記第一のカバーの外側部材をセラミック繊維材と軽量部材を混合した部材とし
たこと特徴とする請求項１記載の電気掃除機の排気音低減カバー。
【請求項３】
前記第二のカバー部材を該第二のカバー材部に有害物質をとる部材及び消臭部材を設けたことを特徴とする請求項１記載の電気掃除機の排気音低減カバー。
【請求項４】
前記第二のカバー部材を繊維としたことを特徴とする請求項１記載の電気掃除機
の排気音高密封音高低減カバー。
【請求項５】
前記第二のカバー部材を多孔質としたことを特徴とする請求項１及び請求項３記
載の記載の電気掃除機の排気音低減カバー。
【請求項６】
前記第二のカバー部材を着脱可能としたことを特徴とする請求項１及び請求項３
記載の電気掃除機の排気音低減カバー。
【請求項７】
前記第一のカバーを該第一のカバー材部に開口部を設け前記開口部の該開口部に
第一の開閉蓋を設け及び第二のカバー部材を該第二のカバー材部に前記排気口に排
出の排気抵抗率を変える可動可能な段階的に調整可能とする第二の開閉蓋を設けた
ことを特徴とする請求項１記載の電気掃除機の排気音低減カバー。
【請求項８】
前記第一のカバー及び第二のカバー部材を高硬度としたことを特徴とする請求項
１記載の電気掃除機の排気音低減カバー。
【請求項９】
前記第一のカバー及び第二のカバー部材を低硬度としたことを特徴とする請求項１及び請求項８記載の電気掃除機の排気音低減カバー。
【請求項１０】
前記第一のカバー内に複数の仕切りを設け該仕切りに一つ以上の第一の排出口を
設けたことを特徴とする請求項１記載の電気掃除機の排気音低減カバー。
【請求項１１】
前記第一のカバーの該カバー材部に液体を設けたことを特徴とする請求項１記
載の電気掃除機の排気音低減カバー。
【請求項１２】
前記電気掃除機の排気口と第二排出口及び第一のカバー及び第二のカバー部材
を離間したことを特徴とする請求項１記載の電気掃除機の排気音低減カバー。
【請求項１３】
前記第二の排出口に着脱可能な通気を有せる多孔質部材を設け該多孔質材部にシ
リコンを設けた部材としたことを特徴とする請求項１記載の電気掃除機の排気音低
減カバー。
【考案の詳細な説明】
【技術分野】
【０００１】
本考案は排気を有する製品からなる内部構造で低減なされた低騒音なる電気掃除機や高騒音なる電気掃除機のそれらの排気口から排出される排気の排気音やその電気掃除機に係る排気の排気力による部材振動のそれらを吸引力を変えずに低減することのできる電気掃除機の排気音低減カバーに関する。
【背景技術】
【０００２】
自動車の排気ガスの消音カバーの排気用リヤ―マフラーではその該マフラー材部      をメッシュカバーで形成しそのメッシュからなる複数の孔部から排気を出して音を
高い良効果で消音するものはあるがそのメッシュの周りに係る部材は多孔質による
形成部材や弾力を有する形成部材がなされていない為音の振動が伝わりやすい部材
となり又その前記メッシュ部により間接音をなせる排気と直列からなる排気のそれ
らの排気の最終は直接出す形成からなりその最終排気口に設ける消音効果なす排気
に排出抵抗を与える第二のカバー部材が無い為そのマフラ―に係る排気によるその
前記直接出す最終排気音や排気力又はその前記メッシュ部からなる間接音やその間
接排気力のそれらを最終は直接出して排気してしまうという問題点があった。
【先行技術文献】
【特許文献】
【０００３】
【特許文献１】特開平０８−１００６２６号公報
【考案の概要】
【考案が解決しようとする課題】
【０００４】
排気音の消音効果なるカバーは自動車の排気用リヤ―マフラーではその該マフラー材部をメッシュカバーで形成しそのメッシュからなる複数の孔部から排気を出して間接させ高い良効果で音を消音する手段をとるものはあるがそのメッシュの周りに係る部材は多孔質による形成部材や弾力を有する形成部材がなされていない為音の振動が伝わりやすい部材となり又そのリヤーマフラーの該マフラー材部にその間接音を有せるそのメッシュ部はあるが最終排気となるその最終的にはその間接音及び直接出す排気もそれらの排気の前記最終排気は直接出す排気吹き出しとなりその最終排気口に設ける消音効果なす排気抵抗を与える第二のカバー部材がない為そのマフラ―に係る排気による最終排気又はその間接音を直接出して排気してしまうというそれらの問題点があった。本考案は電気掃除機の排気口に外側面を多孔質とし更に内側面に弾力空気層を有する第一のカバーを着脱自在に設けた為その多孔質形成からなるその外側部材により部材への排気力やその排気音の伝わりをその多孔質からなるその空孔部により低減させる部材とし前記外側部材によりその多孔質を仮に外気に排気は通らない形成で排気周りを覆う密封度を高めて排気によるエネルギーをその高めた密封により高シャットアウトし更に内側面に弾力空気層を有する第一のカバーを着脱自在に設けた為更に部材への排気力の伝わりによる振動をその弾力を有する空気層を兼ねる形成部材がその弾力形成によるその弾力部材によりその振動や排気音のそれらがその弾力によるクッションによりそれらの排気によるエネルギーを和らげ外気に伝えにくい部材としてその排気音や部材振動を軽減し及びその空気層によるその空孔部によりその空間はそれらの排気によるエネルギーの伝わりにくい空間部とし又第一のカバーを着脱自在にしたことによりそのカバーを洗浄し衛生面でその着脱効果を発揮し更に前記排気口からの排気に排出抵抗を与える第二のカバー部材を第一のカバー内に設けた為その第二のカバー部材をその排気口の負荷としない前記通気を有する部材で排気口に設けることにより排出抵抗を与えることができて更にその部材は通気を有せる部材である為排気はできるがその部材により排気力の低減及び排気音を高シャットアウトし更にその前記排出抵抗を与える第二のカバー部材で低減なされたその排気をその前記第二のカバー部材の後方に空洞室を設けた為その空洞室によりその低減した排気を弱めることやその弱めることに係る排気移動の一例となるが排気移動なる排気回転や排気の屈折移動のそれらの繰り返しのできる空洞部として更にその空洞室から低減されたその排気はその前記排気を第一カバーの前部に設けた第二の排出口から排出させることによりその前記後方と前部のその距離によりその排気によるエネルギーを低減させる仕組みとなることによりその低減の繰り返されたその排気によるエネルギーをその前部に設けた第二の排出口から排出するものとなりその排気によるエネルギーを低減なせる形成部材となりそれらを統合により動力を有す排気を必要とするその電気掃除機の排気音の低減とその部材への振動低減のそれらを可能とする電気掃除機の排気音低減カバーを提供するものである。
【課題を解決するための手段】
【０００５】
本考案１は
電気掃除機２排気口１１に外側面３を多孔質４とし更に内側面６に弾力空気層５を有する第一のカバー５３を着脱自在に設け、前記排気口１１からの排気１３に排出抵抗を与える第二のカバー部材７を第一のカバー内６２に設け、前記第二のカバー部材７の後方に空洞室５４を設け、排気１３を第一カバー５３の前部３４に設けた第二の排出口３４から排出させることを特徴とする電気掃除機の排気音低減カバーを提供。
【０００６】
本考案２は
前記第一のカバーの外側部材をセラミック繊維材と軽量部材を混合した部材とし
たこと特徴とする電気掃除機の低減カバーを提供。
【０００７】
本考案３は
前記第二のカバー部材を該第二のカバー材部に有害物質をとる部材及び消臭部材
を設けたことを特徴とする電気掃除機の低減カバーを提供。
【０００８】
本考案４は
前記第二のカバー部材を繊維としたことを特徴とする電気掃除機の排気音低減カ
バーを提供。
【０００９】
本考案５は
前記第二のカバー部材を多孔質としたことを特徴とする電気掃除機の排気音低減
カバーを提供。
【００１０】
本考案６は
前記第二のカバー部材を着脱可能としたことを特徴とする電気掃除機の排気音低
減カバーを提供。
【００１１】
本考案７は
前記第一のカバーを該第一のカバー材部に開口部を設け前記開口部の該開口部に
第一の開閉蓋を設け及び第二のカバー部材を該第二のカバー材部に前記排気口に
排出の排気抵抗率を変える可動可能な段階的に調整可能とする第二の開閉蓋を設
けたことを特徴とする電気掃除機の排気音低減カバーを提供。
【００１２】
本考案８は
前記第一のカバー及び第二のカバー部材を高硬度としたことを特徴とする電気掃除機の排気音低減カバーを提供。
【００１３】
本考案９は
前記第一のカバー及び第二のカバー部材を低硬度としたことを特徴とする電気掃除機の排気音低減カバーを提供。
【００１４】
本考案１０は
前記第一のカバー内に複数の仕切りを設け該仕切りに一つ以上の第一の排出口を
設けたことを特徴とする電気掃除機の排気音低減カバーを提供。
【００１５】
本考案１１は
前記第一のカバーの該カバー材部に液体を設けたことを特徴とする電気掃除機の
排気音低減カバーを提供。
【００１６】
本考案１２は
前記電気掃除機の排気口と第二排出口及び第一のカバー及び第二のカバー部材を
離間したことを特徴とする電気掃除機の排気音低減カバーを提供。
【００１７】
本考案１３は
前記第二の排出口に着脱可能な通気を有せる多孔質部材を設け該多孔質材部にシ
リコンを設けた部材としたことを特徴とする電気掃除機の排気音低減カバーを提
供。
【考案の効果】
【００１８】
本考案１は
電気掃除機２の排気音１３を低減できるカバーにおいて電気掃除機２排気口１１  に外側面３を多孔質４とし更に内側面６に弾力空気層５を有する第一のカバー５３を着脱自在に設け、前記排気口１１からの排気１３に排出抵抗を与える第二のカバー部材７を第一のカバー内６２に設け、前記第二のカバー部材７の後方に空洞室５４を設け、排気１３を第一カバー５３の前部３４に設けた第二の排出口３４から排出させるそれらを統合したことを特徴とする為前記多孔質４からなる外側面３はその前記電気掃除機２の排気１３からなるその排気力１３や排気音１３によるそれらの排気エネルギー１３による部材への伝導２２をその前記多孔質４は低減するというそれはその多孔質４に係る空孔部４は空間な為音の振動２２が伝わりにくくそのような特徴を兼ねてその為その多孔質４からなる外側面３はその前記排気エネルギー１３の伝導２２からなる部材振動２２やその排気音１３のそれらが押えられて低減し及びその前記内側面６によるその弾力空気層５はその排気１３による部材へのその排気エネルギーの排気力やその排気音１３のそれらを低減させてその前記空気層５は空間な為音の伝えにくい空間部となり又その弾力によりその弾力のそのクッション性によりその排気１３によるエネルギーを押えることができる部材となる為音の伝導率２２や排気に係る排気力１３のそれらを低減なしえる部材となり又その前記第一のカバー５３は着脱可能な為その電気除機２からなる排気口１１の掃除がその前記着脱により可能となりその電気掃除機２の命部となる排気口１１に安定を保持することができて又第一のカバー５３は仮に通気を有さない多孔質４形成のその多孔質４からなるその第一のカバー５３でその排気口１１周りを設けるその部材で密封度を高めて排気１３によるエネルギーをその高めた密封により高シャットアウトしその前記高シャットアウトを一番の目的とし騒音を低減させることを重点に置き向上させて音を囲うということはその第一のカバー５３の外部からなる外気には音が伝わりにくいというものとなりその第一のカバー内６２に前記排気口１１からの排気１３に排出抵抗を与える第二のカバー部材７を設けたことによりその第二のカバー部材７で排出抵抗を与えることができて排気によるその排出力１３を低下させると共にその排出に係る排気音１３もその排出力に比例して同時に低減させることができてそれらを高シャットアウトし更にその前記排出抵抗を与える第二のカバー部材７で低減したその排気１３によるエネルギーを前記第二のカバー部材７の後方に空洞室５４を設けたことによりその空洞室５４によりその低減した排気を弱めることやその弱めることに係る排気１３移動なる排気回転や排気の屈折移動の繰り返しのそれらができる前記空洞室５４となりそのことによりその排気エネルギー１３は低減しそれを中シャットアウトとし更にその前記排気１３を第一カバー５３の前部３４に設けた第二の排出口３４から排出させるその前部３４に設けた第二の排出口３４とその前記後方の空洞室５４との距離による離間によりその空洞室５４で弱まったその排気エネルギー１３はその前記離間なす低減なせる為の距離としその前記距離により弱まった排気によるそのエネルギー１３をその前記第二���排出口３４から排出させその繰り返される高シャットアウトや中シャットアウトにより小さくなりえる排気１３はその為その第二の排出口３４は小さく形成することできて前記密封度を高めることができ排気音１３を確実に低減なしえる外気への伝わりを抑えることのできる形成部材となりそれらを統合したことを特徴とする。
【００１９】
本考案２は
前記第一のカバーの外側部材をセラミック繊維材と軽量部材を混合した部材とし
たこと特徴とする為その前記セラミック繊維は繊維がそのセラミックにより強化
されたものとなりそのセラミック繊維とその前記軽量部材を混合した形成部材によりその軽量部材は強化することができてその軽量部材はアルミ又は樹脂及びガルバリウム鋼板とその軽量部材は多数からなりそれらの軽量部材をその部材の本来もつ重量をそれほど変化させることなく高硬度へと強化させることができてその為軽量で且つ高硬度な部材となる。
【００２０】
本考案３は
前記第二のカバー部材を該第二のカバー材部に有害物質をとる部材及び消臭部材
を設けたことを特徴とする為その電気掃除機の排気口からなる排気によりその前
記排気を人体に係る鼻の鼻孔からの呼吸による吸引をすることによりアレルギー
の原因となるハウスダストの人体へのその有害物質や埃の飛散及びそのアレルギ
ーに係るダニなどの外気への浮遊を防ぐものとなりそれらによる人体への障害を
防ぐものとなり又その前記浮遊による細菌をカットすると共にその細菌による臭
いを前記消臭部材を設けたことにより前記ハウスダストと同時に臭いからなる悪
臭を遮断し前記排気口からなる多数なる人体に影響を及ぼす害を吸収阻止できる
ものとなりそれらの統合により二つ以上のそれらの害を阻止し家庭環境への人体
障害のそれらの安定を図る。
【００２１】
本考案４は
前記第二のカバー部材を繊維としたことを特徴とするその前記繊維は多種からな
るが通気性が良い繊維を選択することができてその電気掃除機からなる排気口に
よる排気をその繊維はスムーズに通気させてその前記排気を確実なものとし又そ
の繊維は前記本考案２で述べた良効果をこの繊維でもなせるものとなりその電気
掃除機の排気口からなる排気によるアレルギーの原因となる人体への前記有害物
質や埃の飛散及びその埃に係るダニなどの外気への浮遊を防ぐものとなりそれら
による人体への障害を防ぐものとなり又その前記浮遊による細菌をカットすると
共にその細菌による臭いを同時に遮断し前記排気口からなる害を遮断阻止できる
ものとなりもう一つの利点となる良い特徴は前記二次カバー部材はその前記繊維
は洗浄がしやすい部材となりその電気掃除機に係る衛生面でその繊維は良となせ
る部材となりその繊維はセラミック繊維とすることもできて型崩れしにくい丈夫
な繊維ともなる。
【００２２】
本考案５は
前記第二のカバー部材を多孔質としたことを特徴とする為その多孔質部材は例え
ば通気の良好となるように高度は自由となるがスポンジとして形成することによ
りその前記スポンジは弾力を有するその弾力により外圧力からの力を吸収する部
材である為その部材を害することなくその前記排気口を覆う第二のカバー部材の
効果を損ねることなく部材維持ができてその多孔質は前記本考案２で述べた良効
果をこの多孔質でもなせるものとなりその電気掃除機の排気口からなる排気によ
るアレルギーの原因ともなる人体への前記有害物質や埃の飛散及びその埃に係る
ダニなどの外気への浮遊を防ぐものとなりそれらによる人体への障害を防ぐもの
となり又その前記浮遊による細菌をカットすると共にその細菌による臭いを同時
に遮断し前記排気口からなる害を遮断阻止できるものとなりもうひとつの利点と
なる良い特徴は前記第二のカバー部材からなるその前記多孔質は洗浄がしやすい
部材となりその電気掃除機に係る衛生面でその多孔質は良となせる部材となりそ
の多孔質は網目部材を複数層に重ねて前記多孔質として形成もできて通気性の良
い部材となる。
【００２３】
本考案６は
前記第二のカバー部材を着脱可能としたことを特徴とする為その前記二次カバー
部材を単独に取り外すことにより洗浄が可能となりその電気掃除機に係る排気口
の排気を害することなくその前記第二のカバー部材を洗浄することにより良好に
部材保持できその排気口の安定を理に兼ねるものとする。
【００２４】
本考案７は
前記第一のカバーを該第一のカバー材部に開口部を設け前記開口部の該開口部に第一の開閉蓋を設け及び第二のカバー部材を該第二のカバー材部に前記排気口に排出の排気抵抗率を変える可動可能な段階的に調整可能とする第二の開閉蓋を設けたことを特徴とする為その前記該開口部に設けた開閉蓋を開けることによりその第一カバーの内部の障害を防ぐことができて又その排出の排気抵抗率を変える可動可能な第二の開閉蓋をその前記開口部より外部から簡単に操作することが可能となりその排気口の前記排出の排気抵抗率の調節ができる為お子さんが就寝している時間体の騒音を排出するその高排気音となせない仮に短時間のその抵抗率によるパーセンテ―ジを前記動力の負荷の係らない小レベルで調節することも可能となりその前記調整を段階的に止まるその調整としそのことにより排気音又は排気力の調節が段階的にできて又その前記電気掃除機の元なる排気口はその動力なる排気を必要とするその電気掃除機の命部となる為その開口部を設けたことによりその開口部からその元なる電気掃除機の排気口はその電気掃除機の外部から目視できると共にその排気口を害することなく掃除が簡単に行える形成部材となりその元なる電気掃除機の排気口及びその第二のカバー部材の安定を常に保持し監視及び保護をスムーズに行えるものとした。
【００２５】
本考案８は
前記第一のカバー及び第二のカバー部材を高硬度としたことを特徴とする為その
前記高硬度による形成部材にすることによりそれらの部材が変形及び破損に繋が
る壊れを防ぐものとなり安定した部材維持をその部材の高硬度によりその部材で
安定させるものとした。
【００２６】
本考案９は
前記第一のカバー及び第二のカバー部材を低硬度としたことを特徴とする為その
前記低硬度による形成部材にすることにより例えばハンド掃除機などの手の力に
よる持ち上げを主とした電気掃除機にはこの低硬度部材で形成したその部材形成
にすることにより軽さを兼ねることのできる部材となりその前記軽さにより安定
し掃除ができてその掃除による疲労を軽減なせる部材とした。
【００２７】
本考案１０は
前記第一のカバー内に複数の仕切りを設け該仕切りに一つ以上の第一の排出口を
設けたことを特徴とする為その電気掃除機の排気口から排出される排気音や排気
力をその複数からなる仕切りによりその前記排気によるエネルギーをその複数壁
の仕切りにより段階的にそのエネルギーの低減を繰り返しその排気によるエネル
ギーに係るその排出はその一つ以上の第一の排出口を通り抜けえることができて
その前記低減を繰り返すことよりその排気によるエネルギー力を抑えるものとな
る。
【００２８】
本考案１１は
前記第一のカバーの該カバー材部に液体を設けたことを特徴とする為その第一の
カバーに係る外側面による部材の前記該カバー材部となる為その外側部材の内部
に液体を設けることができてその液体を設けることにより排気力や排気音なるそ
れらの排気エネルギーをその液体は音の伝えにくい液体部となり高排気力を有す
る電気掃除機などの前記それらの排気エネルギーを分散軽減させることのできる
液体部となる。
【００２９】
本考案１２は
前記電気掃除機の排気口と第二排出口及び第一のカバー及び第二のカバー部材を
離間したことを特徴とする為その前記排気口と第二排出口の離間特徴なる効果は
電気掃除機の形状は様々でありその離間としたことによりその掃除機にあった排
出場所の選択肢することが可能となり胸に浴びない排気口向きとすることができ、
その排気口と第一のカバー及び第二のカバー部材のそれらの離間特徴はその排気
口から排出される排気力やそれに係る排気音のそれらを直接それらの部材に伝え
るものとせずに間接的に伝えることができてその離間よる距離によりそれらの排
気エネルギーを低減させて伝える形成部材となる。
【００３０】
本考案１３は
前記第二の排出口に着脱可能な通気を有せる多孔質部材を設け該多孔質材部にシ
リコンを設けた部材としたことを特徴とするその前記電気掃除機に係る前記で述
べた第二のカバーによる一次壁により排気を綺麗にしてその通気口に着脱可能な
通気を有せる多孔質部材を設けたその多孔質部材での排気を綺麗にする二次壁と
してその前記一次壁で取り残した微小なる埃や微生物をそれらはほんの微量とな
るが前記二次壁からなるその通気を有せる多孔質部材で取り除くことができて尚
該多孔質材部にシリコンを設けたことによりほんの微量となる前記微生物がその
シリコン層は付着しやすい膜となりそのことによりに綺麗な排気を排出できるも
のとしてその前記着脱可能によりそのシリコン層に付着したその微生物を簡単に
洗い流すことができてその第一カバーの前部に設けた排気口からなる排気の安定
保持が保たれて人体への前記微生物からなる障害やハウスダストの軽減効果をな
せるものとなる。                        
【図面の簡単な説明】
【００３１】
【図１】本考案に係る電気掃除機の排気音低減カバーの正面図。
【図２】軽量な高硬度部材の効果の概略図。
【図３】排気口の密封例と部材の効果の概略図。
【図４】第一の外側面のカバー部材の効果示す概略図。
【図５】第一のカバー部材の内側面に係る弾力部材を示す概略図。
【図６】第二のカバー部材の効果を示す概略図。
【図７】第二の開閉蓋の段階に調節の方法と開閉蓋の形状の概略図。
【図８】複数の仕切り効果を示す概略図。
【図９】多孔質の部材一例を示す概略図。
【図１０】部材硬度や有害物質を取る部材を示す概略図。
【図１１】第二の排気口に設けた部材効果を示す概略図。
【図１２】実開なるノズルとの掃除機形成の一例を示す概略図。
【図１３】実開なるノズルの効果の一部となる例を示す概略図。
【図１４】第一のカバー部材に液体を設けた概略図。
【図１５】排気音の目安による低減効果のまとめを示す概略図。
【図１６】排気力の目安による部材振動の低減効果のまとめを示す概略図。
【考案を実施するための形態】
【００３２】
以下、本考案の好適な実施例を図面に基づいて説明する。
【００３３】
図１は本考案に係る電気掃除機の排気音高密封音高低減カバーの一例を示した正面図である。
【００３４】
図１は排気音１３を効率良く低減させることのできる電気掃除機２において
その電気掃除機２排気口１１に外側面３を多孔質４とし更に内側面６に弾力空
気層５を有する第一のカバー５３を着脱自在に設け、前記排気口１１からの排
気１３に排出抵抗を与える第二のカバー部材７を第一のカバー内６２に設け、
前記第二のカバー部材７の後方に空洞室５４を設け、排気１３を第一カバー５
３の前部３４に設けた第二の排出口３４から排出させることを特徴とするその前記第一のカバー５３は電気掃除機２の排気口１１に設けその排気口１１を高密封し前記設けることを目的として取り付ける部材となるがその高密封によりその排気音１３を低減させることのできる部材としそれはその高密封によるその密封により外気に伝わる音の低減なしえてその第一のカバー５３に係る電気掃除機２の排気口１１に外側面３を多孔質４としその多孔質４は複数からなる空孔部を兼ねていてその前記空孔部は空間となる為音の伝導やその排気力１３による伝導のそれらは伝わりにくいものとなりそれらの前記伝導２２による伝導率とその高密封により排気音１３を低減させてその第一のカバー５３は着脱自在な為その前記第一のカバー５３を取り外してその電気掃除機２に係るその排気口１１の掃除が行えるものとしてその前記排気口１１は動力を有するその排気１３を必要とする電気製品からなるその電気掃除機２の命部となる為手入れの必要とする重要となる部材場所となる為その前記第一のカバー５３を着脱可能としたことによりその排気口１１の安定保持ができるものとして又その第一のカバー５３に係る内側面６に弾力空気層５を有する部材を設けたことによりその前記空気層５を兼ねる形成部材は多孔質４と同様なものとしてその弾力を有する空気層５を兼ねるその形成された部材によりその前記空気層５からなるカバー内側面部材６やその電気掃除機２のそれらの部材への音の伝わりの伝導率をその弾力とその空気層５により低減させてそれを低減１としてその良効果に上乗せしてその前記第一のカバー５３の内側面６のその弾力を有する部材と同じ効果となる音の伝わりやその排気力１３によるその部材への振動やその振動に係る振動音１３をその第一のカバー５３の多孔質４により低減させる部材となりそれを低減２としてその前記内側面６なる弾力を有する空気層５を兼ねる部材による前記低減１とそのカバー部材５３の外側面３なる多孔質４形成部材による前記低減２のそれらの複数の防御壁によりその排気力１３やその排気に係る排気音１３の部材への伝導率のその低減を確実なものとして振動２２を抑え又前記排気口１１からの排気１３に排出抵抗を与える第二のカバー部材７を第一のカバー内６２に設けたことにより前記第一のカバー５３のその効果となる前記高密封により排気音１３を高効果で低減しその前記排気口１１に設ける第二のカバー部材７によりその前記第一のカバー５３の高効果に上乗せしてその第二のカバー部材７によるその排気口１１からの排気１３に排出抵抗を与えるその部材で排気音や排気力１３を更に低減させてその第二のカバー部材７は一例となるが前記排出抵抗を与えることは繊維による軍手１８のような網目状の部材形成にするとその排気音１３は低減させるがその排気１３による通気はできてその電気掃除機２に負担の係らない網目となりその電気掃除機２の排気音や排気力１３のそれらの低減を高低減へとなりえる部材とし又前記第二のカバー部材７の後方に空洞室５４を設けた為その第二のカバー部材７で高低減なしえたそれらの排気１３による弱まったエネルギーはその空洞室５４によりその低減した排気１３を弱めることやその弱めることに係る排気１３移動なる排気１３回転や排気１３の屈折移動の繰り返しのそれらができる前記空洞室５４となりそれらの排気１３移動により更にその前記排気１３によるエネルギーを低減させてその低減させたその排気１３によるエネルギーを前記排気１３を第一カバー５３の前部３４に設けた第二の排出口３４から排出させるその後方からなる空洞室５４とその第一カバー５３の前部３４に設けた第二の排出口３４のそれらの距離によるその前記距離はその排気１３によるエネルギーの低減なせる距離としてその前記距離により低減なしえてそれらの統合した低減を繰り返しなせる形成での小なりえる最終排気力１３は微量となってその前記第二の排出口３４から排出するものとなる。
【００３５】
図２の（ａ）は前記第一のカバーの外側部材３をセラミック繊維材５２と軽量部材５０を混合した部材としたこと特徴とするものとなり（ｂ）はその（ａ）で混合した部材は軽量部材５０からなる為軽くその軽量部材５０とは多数あるが一例として例にあげるとそれはアルミや樹脂又はガルバニウム鋼板などがありそれらの軽量部材５０は前記軽い為掃除を苦としないその電気掃除機２の重量調整の一部となり（ｃ）は（ｂ）の効果である軽量となると共にそれらの軽量部材５０にセラミック繊維５２を加えることによりその繊維５１によってその前記軽量部材５０が強化されて軽い部材であるが外部からの衝撃に強い部材となる。
【００３６】
図３の（ａ）と（ｂ）は前記第一のカバー５３からなる効果となる高密封を誰にでも解りやすいように理解しやすいように示したものとなり（ａ）は電気掃除機２の本体に段ボール５５を被せその前記段ボール５５を被せた電気掃除機２は音の低減された低騒音となりえる低い騒音となりそれは電気掃除機２の掃除に係る騒音の大部分はその電気掃除機２に係る排気口１１による排気音１３が一番の原因となる為その段ボール５５を被せたことによりその前記排気音１３がその多孔質４形成からなる段ボール５５の壁によりシャットアウトされて前記多孔質４形成からなる第一のカバー５３をその段ボール５５に例えて示したものとなり（ｂ）は電気掃除機２の本体を掃除する場所と異なる別の部屋にその前記本体のみを移動しそれらの部屋の仕切りとなるドアを閉鎖して掃除した様子を示しその本体を前記ドアの仕切りにより仮に密封したその電気掃除機２の掃除による騒音は低減されたものとなりそれは前記で記した電気掃除機２の掃除に係る騒音の大部分はその電気掃除機２に係る排気口１１による排気音１３が一番の原因となる為その前記ドアの仕切りにより仮に密封したことによりその前記騒音は低減するものとなり前記排気口１１を高密封できる第一のカバー５３をこれに例えて仮説明したものとなる。
【００３７】
図４の（ａ）と（ｂ）は前記第一のカバー５３の外側面３部材を示して（ａ）
はその外側部材の多孔質４に係るその空孔部を多く保有なる形成した部材とな
りその形成による部材にすることによりその前記空孔部を多く保たれている為
その空孔部による空間が多くなる為その第一のカバー５３への排気音やその排
気に係る排気力１３によるそれらのエネルギーの伝導２２をその第一のカバー
５３に伝えにくい部材とし（ｂ）は（ａ）の第一のカバー５３の外側部材３よ
りその前記多孔質４を少数なる形成とした部材となりその為その前記多孔質４
による空間が前記少数な為その第一のカバー５３への前記排気１３によるエネ
ルギーの伝導を（ａ）よりは低減されていないものとなって（ｃ）と（ｄ）は
該排気口１１と仮に離間して設ける第一のカバー５３の効果を示したものとな
りその（ｃ）は仮にその排気口１１外周部面に第一のカバー５３を直接離間せ
ずに設けたものとなりその離間しない第一のカバー部材５３は排気口１１から
なる前記エネルギーの伝導２２を直接伝えてしまう為確実にそのエネルギーを
低減なしていないものとして（ｄ）は一例となるその前記該排気口１１と離間
して覆う第一のカバー５３を設けた概略図となりその離間により前記エネルギ
ーの伝導を直接その第一のカバー５３に伝えることなく間接的にできる部材振
動２２の低減なす部材一形成の一例となり（ｅ）は考案に係る前記カバー部材
５３を取り外したものとなりその着脱可能により排気口１１なる排気１３を有
す電気掃除機２の命部となる排気口１１の掃除が可能となりその排気口１１の
安定を保持できるものとしそれらはすべて概略図となる。
【００３８】
図５の(ａ)と（ｂ）は前記排気１３を第一カバー５３の前部３４に設けた第
二の排出口３４から排出させる又前記電気掃除機の排気口と第二排出口を離間
したことのそれらを示してその排気口の後方からとその前記前部の距離により電
気掃除機の排気口１１から排出されたその排気１３はその統合されたカバー部材
１を伝い間接的にその排気１３をなせるものとしその排気やその排気に係る排気
音及び排気力１３をその距離により低減なせる形成としたものとなりその前記低
減された排気１３によるそれらのエネルギーは減少されている為その低排気１３
に係る排気口３４は小さくともよいものとなりその為前記第二の排気口３４のそ
の総面積をその低減排気量１３に比例して小さく形成することができて更にその
前部に設けたをこと離間やさまざまな離間により胸に排気を浴びない形成部材と
することもできて（ｃ）から（ｅ）は考案に係る部材説明をしたものとなり前記
記した図４の第一のカバー５３の内側面６に弾力空気層５を有するその弾力を有
する部材の効果を記したものとなり（ｃ）はその前記弾力を有する空気層を兼ね
る形成部材５の一例となりその弾力部材はクッションを有する為音の振動をその
クッションにより和らげることができて尚その弾力を有すると共に空気層を兼ね
る形成部材である為更に音の伝わりをその空気層からなるその空孔部により音の
伝えにくい空間となりその前記多孔質４からなる第一のカバー５３と共に部材振
動２２やその部材振動２２に係る振動音２２を効率的に和らげることができ仮に
この弾力を有する部材を厚みのある形成としてもよいので三層とすることもなく
（ｄ）は仮に前記第一のカバー５３の内側面に設ける弾力部材５を硬質部材１７
により仮に示してその部材は多孔質４を有することなくその硬質部材１７で形成
したものとなりその排気１３に係るその排気力１３は力強いものとなりその力強い排気による振動２２を軽減させる形成個所がその硬質部材１７にはない為その硬質からなるカバー部材の内側面にその排気１３によるエネルギーの伝導が直接伝わりその内側面に伴う外側面への伝導率となりその伝導による振動２２を肌でも感じるものとなり（ｅ）は（ｃ）で記した弾力を有する空気層を兼ねる形成部材５の一例となりその弾力部材５はクッションを有する為音の振動２２をそのクッションにより和らげることができて尚その弾力を有すると共に空気層を兼ねる形成部材５である為その空気層５のその空孔部は空間な為音の伝わりにくいその空孔部としてそれらの複数の部材への振動を低減なせる形成としてその弾力を有する部材５の内側面６への前記排気１３によるエネルギーの伝導率を低減して伝えたその外側面３伝導率となりその弾力を有する空気層５を兼ねる形成部材の内側面６は洗浄しすいように表面は平らな形成にするとよいし前記弾力を有する形成部材５なので弾性部材とその弾性部材の該片側面に高硬度を有す樹脂部材を設けたとしてもよいとしその前記平らにすることにより洗浄がしやすくなる。
【００３９】
図６は考案に係る及び一例からなる前記第二のカバー部材７を繊維５１とした
ことを特徴とする及び前記排気口１１からの排気１３に排出抵抗を与える第二の
カバー部材７を第一のカバー内６２に設けたその第二のカバー部材７の特徴のそ
れらを示して（ａ）は電気掃除機２に係る排気口１１をその前記第二のカバー部
材７の一例となる繊維５１で覆う事前を示して排出抵抗を与える部材の前記一例
としてその排気口１１は直接排気をなす為その高排気よるその排気音や排気力１
３は排出するものとなりその前記排気口１１によるその排気１３は例えば一例で
あるが現在良好なる設計された低騒音なす電気掃除機２が多数出ていてその吸引
力に係る駆動に異なる排気力１３が大きいほど吸引力は良いという見かたもでき
てしかしあまり排気音１３をあげる訳にもいかずにそこで良なる電気掃除機２の
高排気音１３を低減させる為や現在前記良好なる低騒音のその低騒音も低減なせ
ることのできる部材となりこれは最終まとめとなる後期で詳しく記すこととなり
（ｂ）は前記第二のカバー部材７を繊維５１としたことを特徴とすることからな
る前記良なる電気掃除機２の高排気音１３を兼ねる電気製品やその排気を必要と
するあらゆる電気掃除機２のその排気口１１に設けたことを示してその前記通気
可能な繊維５１で覆うことにより排気による通気はできるがその排気による音は
かなりの効率で高シャットアウトできるものとなりその前記排気音１３の低減をされたことを矢印の太さや長さにより示してその第二のカバー部材７を簡単なる軍手１８による繊維５１により実験なしたことを示して（ｃ）は仮に一例となる
がその第二のカバー部材７を高硬度を有する前記軍手１８による通気率にとなる部材からなる多孔質なスポンジ１９を示して（ｄ）は前記第二のカバー部材７を多孔質としたことを特徴とするその（ｃ）で記した前記多孔質な部材での第二のカバー部材７の形成部材の一例としてその前記排気口１１を覆う形状の型崩れを
しにくい形成部材として形成することもできて（ｅ）は前記第二のカバー部材７を着脱可能としたことを特徴とするその前記で記した（ｄ）の高硬度を有するその多孔質な部材はその前記高硬度を有する為丈夫な部材となりその部材をそのように取り外して洗浄してもその部材の変形や破損を防ぐものとなりその前記硬度を硬質部材１７の固さにした部材形成としてもよいとしその（ｅ）から矢印に沿いその図はその第二のカバー部材７に係る一例となるが前記第一のカバー５３を該第一のカバー５３材部に開口部４６を設け前記開口部４６の該開口部４６に第一の開閉蓋４８を設け及び第二のカバー部材７を該第二のカバー材部７に前記排気口１１に排出の排気抵抗率を変える可動可能な段階的に調整可能とする第二の開閉蓋６３を設けたことを特徴とする為のそのことを示したものとなりその第一のカバー５３を該第一のカバー材部５３に開口部４６を設けその開口部４６からそのカバーの内部の障害を防ぐことができて又その前記排気口１１に排出の排気抵抗率を変える可動可能なその排気口部をその外部から簡単に操作することが可能となり又矢印に沿いその図はその第二の開閉蓋６３を仮に半閉鎖したことを示してその前記開口部４６の第一の開閉蓋４８は閉鎖を示しその第二の開閉蓋６３を前記繊維５１からなる軍手１８のような通気性とすることもできてその第二の開閉蓋６３を前記半閉鎖によりその排気に係る排気力１３やその排気音のそれらのエネルギーの調節ができてその前記軍手１８のような通気性だとその電気掃除機２に係る動力の負担はその排気口１１周りの温度によりその度合いを仮に記すとそれを約３％としその残りの９７％は負荷の係らないものとしその電気掃除機２を長時間使用しても負荷としない前記負荷レベルでありその仮パーセンテージで解りやすいように仮説明として記してなせばそのパーセンテージからなるその３％を排気口１１に排出の排気抵抗率を変える第二の開閉蓋６３を設けたことによりその前記３％も０％にすることも可能となる為そのパーセンテージは一例によるものでありそのパーセンテージの割合は仮に説明したその度合いなる前記パーセンテージにより基づき自由形成とし例えばフルに１時間使用する場合はそのパーセンテ―ジを何％が望ましいと数字のメモリを第二のカバー部材７に記して及び説明書に記してもよいとし又その負担としない前記３％でフルに使用してもよいとし例えばお子さんが就寝している時間体の騒音を排出するその高排気音とできない仮に短時間のそのパーセンテ―ジを前記動力の負荷の係らない小レベルで調節することも可能となりその前記調整を段階的に止まるその調整とし仮説明となり高度な職人レベルな説明となるが現場作業などの埃が多量なる場所での電気掃除機２の排気口１１をサンダ―の排気口に例えて仮に説明しそのサンダーはよくその現場ではショートすることがありそれはそのサンダ−による研磨の切りくずが外気を伝いその排気口に入り込み詰りその前記排気口の詰りを起こしショ―トするものとなってよく壊れるものとなりその排気口からなる埃の吹き出しはほとんど無いものとなりそのサンダ−の排気口も電気掃除機の排気口１１も原理は動力なる排気な為同じような前記排気となり前記第二のカバー部材７はその排気口１１の周りに排気に排出抵抗を与える第二のカバー部材７を設ける為その排気口１１からなる排出による埃は前記で記した通り微量でありその前記埃の多量なる現場ではその外気を伝うその埃を受け付けなくなりその外気による障害を防ぐものとなりまたその業務用の電気掃除機２は良をなす高吸引を有す為高騒音となりそれらのことを防げるこの考案部材は前記現場作業での良となる電気掃除機２となる為一例となるが業務用の電気掃除機２でこの効果を使用してもよいとする。
【００４０】
図７は前記第二のカバー材部に前記排気口に排出の排気抵抗率を変える可動可
能な段階的に調整可能とする第二の開閉蓋のその前記第二の開閉蓋の段階固定や
その第二の開閉蓋の形状一例を示したものとなり（ａ）は電気掃除機の排気口の
その排気口に前記第二の開閉蓋を設けたものとなり（ｂ）は開閉蓋の端部に弾力
部材を使用して仮にその弾力部材を弾性部材のゴムとしそのゴムによる伸縮効果
を利用したその開閉蓋の段階固定としたものとなり（ｃ）はその前記で記した（ｂ）
の段階固定の弾性部を凸部の有する部材に変えてその凸部を利用した凹凸による
段階固定を示したものとなり（ｄ）はその第二の開閉蓋を複数の孔部を有する開
閉蓋としその後部を有することによりその部材を前記軍手のような通気性とする
こともできてその掃除機に係る排気が安定した排気となる。
【００４１】
図８は前記第一のカバー内６２に複数の仕切り９を設け該仕切りに一つ以上の
第一の排出口１０を設けたことを特徴とする一例となり（ａ）と（ｂ）はその電
気掃除機２からなる排気口１１による排気１３をその複数からなる仕切り９によ
りその排気力や排気音１３のそれらの低減をその複数により繰り返せるものとな
りその排気１３による通気は前記一つ以上の第一の排出口１０をその低減された
その排気１３は抜けるえるものとなりそれは排気音１３を低減なせる一部材形成
となり（ｃ）と（ｄ）は前記で記した図４の（ｃ）と（ｄ）で記した該排気口１
１と仮に離間して覆う第一のカバー５３の効果を示し部材振動２２を示したもの
となり、（ｃ）はその排気口１１から離間せずに直接その第一のカバー５３を設け
たものとなりその前記排気口１１からなる排気力や排気音１３を直接その第一の
カバー５３に伝えてしまう為その前記第一のカバー５３へのその排気１３による
前記エネルギーの伝導を低減なされていない面がありその第一のカバー５３への
伝導２２は肌で感じるものとなりその伝導率が高いことを矢印の太さや長さによ
り示したものとなり（ｄ）とその（ｄ）から矢印に沿った図は前記電気掃除機の排
気口と第二排出口及び第一のカバー及び第二のカバー部材を離間したことを示し
てそれらの前記離間により排気１３によるエネルギーの伝導２２を直接伝えるこ
となく間接的に伝えることができてその第一のカバー５３や第二のカバー部材７
のそれらの前記離間によりその電気掃除機２への前記エネルギーの伝導率２２を
低減なせる部材の一例としその第一のカバー５３へのその排気１３によるエネル
ギーによる伝導率２２を低減したというその伝導率２２による振動２２の力を矢
印の太さや長さにより示し又それらのカバー部材での離間により低減なした排気
エネルギー１３はその前記排気口１１と第二排出口３４のその離間による距離に
よりその排気エネルギー１３を低減なせてその第二の排出口３４により排出する
ものとなり（ｅ）は前記離間を一家一台なるドライヤーにより例え示してその離間
を２cm離間しそのドライヤーなる風を人の手によりその排出力や排出音を仮に示
してその離間することによりその前記ドライヤー５６なる風は和らぐと共にその
前記風なる音は低減させるものとなってその（ｅ）から矢印に沿いその図は仮にそ
のドライヤー５６との距離を０センチだとそのドライヤー５６なる排出口をふさ
いでしまう為仮に１ｍｍの距離としその前記人の手により例えて示すとそのドライ
ヤー５６なる風はその前記風強くなりその手にあたるその排出なる風は騒音が高
くなることを簡単に示した前記第一のカバー５３の離間を例えて仮に示した概略
図となりその効果は仮にその音の低減が０．３の低減だったとするとそれに類した
形成が後二つあるとしたらその類なるその二つにその前記０．３の低減をプラスし
それらをプラスすると０．９の低減となりその０．３は欠かすことのできない数値
ともいえるものとなり仮に数値を示して解りやすく説明したものとなり例えばそ
の前記２ｃｍを１ｃｍのその離間に変えても同じ効果が得られその前記騒音は離
間することにより低減するということを簡単なる実験をしてそれを示したものと
なりその前記離間は請求項１のカバーを着脱自在に設けのその設け方の一例とな
る。
【００４２】
図９は多孔質からなる部材一例を示したものとなり（ａ）は音楽室や映画館を示しそれらの施設は皆もわかる通りに音が外園にもれないような構造仕組みとなりそれらの前記施設の壁で使用される複数からなる穴の開いたその多孔質２３からなる部材を示してこのような多孔質形状の類を一例の複数の仕切り９でこのような形成で制作し使用してもよいとし（ｂ）は多孔質４からなる段ボール５５を示してその段ボール５５のようなその前記段ボール５５は内部が多孔質４で両側面は平面を有しこのような多孔質４形成としてもよいとし（ｃ）は硬度は自由形成となるが多孔質４からなるスポンジを示してそのスポンジを通気を有せる前記軍手１８のような形状で形成しそのような多孔質４としてもよいとしその多孔質４からなるスポンジを硬度を高めることにより壊れにくい形成部材となり（ｄ）は多孔質４からなる軽石５７を示してその軽石５７を通気を有せるその前記軍手１８のような形状で形成しそのような多孔質４として形成してもよいとし（ｅ）はこの図を複数からなる見方として一例となるがまず網目２４状からなるセラミック繊維５２と樹脂を混合したその前記網目２４状の部材を重ねて複数の層により形成して多孔質としてもよいしその網目２４状の部材を樹脂として重ねて複数の層により形成して通気の良い多孔質を制作して使用してもよいとしそれらの多孔質はその網目を重ねたようにそのような自由な形成部材のオリジナルができる。
【００４３】
図１０の（ａ）は前記第二のカバー部材７を該第二のカバー材部７に有害物質を
とる部材２６及び消臭部材２５を設けたことを特徴とすることの一例を示して例
えばその第二のカバー部材７の内側面にそれらの有害物質を取る部材２６や消臭
部材２５を網目状の部材で通気を有せる前記軍手１８のような通気性として形成
して設けてもよいとしその前記有害物質の取る部材２６を活性炭としてもよいと
しそれらの部材を前記該第二のカバー材部７に設けることにより埃やダニなどに
係るハウスダスト２７は防げて又その前記消臭部材２５により排気口１１からな
る悪臭２８を防ぎそれらにより電気掃除機２に係る綺麗な排出として家庭環境を
保護なせる形成なる部材とし（ｂ）と（ｃ）は前記第一のカバー５３及び第二のカ
バー部材７を高硬度としたことを特徴とすることを示してそれらの部材を高硬度
とすることにより衝撃による破損を防ぐことができて例えば一例となるがその高
硬度で形成したそれらのカバー部材は床面の駆動なる大きい電気掃除機２で使用
してもよいとし（ｄ）は前記第一のカバー５３及び第二のカバー部材７を低硬度と
したことを特徴とすることを示してそれらのカバー部材を一例となるがハンドタ
イプの小さい掃除機２で使用してもよいとしその前記低硬度よるそれらのカバー
は重量を軽くすることができてそのことによりそのハンドタイプの掃除機２は軽
い物となり持ち上げの必要とするその掃除機２は安定した掃除が行える形成なす
部材としてそれらの硬度は使う掃除機２により使い分けできる為選択肢可能な自
由形成となる。
【００４４】
図１１は前記第二の排出口３４に着脱可能な通気を有せる多孔質部材を設け該
多孔質材部にシリコン３５を設けた部材としたことを特徴とするとすることを示
して仮に一例となるが（ａ）は網目２４からなる樹脂部材を複数層に重ねて多孔
質形成としてそれを通気を有せるその形状部材としてもよいとし（ｂ）はその（ａ）
で記したその前記複数層を仮にその第二の排気口３４に設けた概略図となり（ｃ）
は部材形成の一例となりその前記多孔質部材の該多孔質材部にシリコン３５を設
けた部材としたものとなり（ｄ）は（ｃ）の前記で記したその多孔質部材の該多
孔質材部にシリコン３５を設けた部材の効果を示したものとなり前記第二のカバ
ー部材７で微小なる埃やダニを高シャットしている為その第二の排気口３４から
なるその前記第二の排気口３４に設けたその該多孔質材部にシリコン３５を設け
たその第二の排気口３４は微量なる埃やダニの通過となるがその前記シリコン３
５はその微量なる埃やダニが付着しやすい部材となり確実に綺麗な排気をなせる
ものとしその多孔質部材は着脱可能な為簡単に取り外しができて清潔なる前記第
二の排気口３４とし御病人を抱える家庭やハウスダスト２７が気になる人はシリ
コン３５の多孔質を使用してもよいとしそれらにあたらない家庭ではこの考案一
例を使わずにシリコンのない多孔質を使用してもよいしこのシリコン３５は人そ
れぞれの好みに値するのでそれらを２枚形成して付属してもよいとする。
【００４５】
図１２は電気掃除機２の制作一例を示して前に考案した現在実用新案登録なる
電気掃除機のノズル３１と今回の考案なる電気掃除機の排気音低減カバー１を統
合して示したものとなり（ａ）は前記電気掃除機のノズル３１の一部効果となる
ものを記したものとなりそれはそのノズル３１に複数の吸引口を備えてなる電気
掃除機２において前記ノズル３１の底面の中央部に第一の吸引口４０を設け、該
第一の吸引口４０と離間して第二の吸引口を前記ノズルの前部の先端に下方３８
からの吸引口と前方からの吸引口８を設け、前記第一の吸引口４０を開閉蓋３９で
開閉可能としたことを特徴とするものが前記実用新案登録なるものでありその前
記前方８からの吸引口では掃除面に係る垂直部からなる多面による掃除ができて
その垂直部の一例として一般家庭ではソファーや家具などの垂直部や網戸やカー
テンに付着した埃や微生物によるハウスダスト２７又は家電や製品なる垂直部や
建築物に係る垂直部のそれらが一般家庭での垂直掃除場所の一例となり自動車又
は乗り物ではそれらの内装の垂直部となり会社又は店舗では建築物に係る垂直部
や機械や製品に係る垂直部となりペットではそれらの垂直部に係りやすいしつこ
いペットの毛となりそれらの多目的吸引を兼ね備えるノズル３１となりそのノズ
ル３１は掃除場所に応じて吸引力の調節ができる為最終吸引はその電気掃除機が
持つ能力での最高なものとなりその前記最高は後期となる次の図の１２で記すこ
となり（ｂ）は一例となるが前記で記した電気掃除機２のノズル３１の第一の吸引
口４０に着脱可能な回転風車４１を設けたものとなりその電気掃除機２のノズル
３１は吸引力を高めることができる為一例となるがその回転風車４１と共に吸引
口の開閉ができるようにその前記第一の吸引口４０の該吸引口材部に取り付けた
ものとなり（ｃ）は前記で記した（ｂ）の一例なるが回転風車４１の着脱可能方法
を記してその回転風車４１は髪の毛や糸くずなどが絡みやすい為この着脱効果は
良効果となりその着脱方法は回転風車４１の左右端部に凸部を突出させてその吸
引口の左右端部に弾力を有する凹部４２からなる部材を設けそれらの凹凸により
着脱可能としそれは前記着脱効果によるその着脱効果は多数なるが着脱の一部と
なる一例となり、例えば仮にその凹部４２を複数形成とし取り付け場所の選択肢で
きる着脱形成とてもよいとしワンタッチボタンでその凹部かもしくはその凸部が
可動するような簡単に取り外せる着脱としてもよいし（ｄ）は仮に一例となるが前
記で記した電気掃除機２のノズル３１と前記電気掃除機の排気音低減カバー１の
それらで仮に電気掃除機２の組み合わせをその前記一例を記し例えば前記電気掃
除機２のノズル３１で例えて説明し消費者には有る程度の機能性を兼ねるもので
安価で購入したい人もいれば完璧な機能性を兼ねるもので高価で購入したい人も
いてそれらは人それぞれであり仮に前記電気掃除機２のノズル３１と開閉蓋３９
の簡単なる組み合わせにしてコストを削減して安価で販売してもよいしその前記
電気掃除機２の排気音低減カバー１もそのような製作によりコストを抑えてもよ
いとし（ｅ）は仮に前記電気掃除のノズル３１を簡単に制作しやすいようにその前
記コストを削減を解りやすいように示しそのノズル３１に係る開閉蓋３９をその
前記ノズル３１の底面部に平行して設けた為中の構造を難解制作とせずにその底
面部でできるものとなる為その制作によるコストを削減できる部材形成となり安
価で販売もできるような形成ともすることができてこのように制作してもよいと
しその前記安価な構造と高価な機能性を兼ねるその考案に係る一例によりその一
例をプラスしその複数を同時に制作してもよいとしそれらをノズルのみで販売し
てもよいとし、その図のすみ三角形の頂点をさす方向の風車部材４１によるブラシ
部はその開閉蓋に少し接触しても回転をきたすということを実験によりなしえてその開閉蓋３９は正常に閉まることを記しそのノズルの底面部からそのブラシを少し突出させることもでき又その風車の一例となるが円筒状に形成した風車部材４１の円筒状の外側面から仮となるが約５ミリ肉厚なる多孔質形成としその多孔質はセラミック繊維で形成しもよいがブラシ部をもたないその風車部材４１に絡むその絡みは前記円筒状に伴う髪の毛や糸くずとなりそれらの取れやすいその円筒状として形成してその電気掃除機２のノズルにそれを統合させてもよいしそれは前記で記した凹凸を利用した着脱方法を使用こともできてまたその多孔質はセラミック繊維でなくてもよくて弾力を有する多孔質形成で有ればよいとする一例となる形成となるが前記５ミリによる肉厚を高めすぎると埃が詰りやすい多孔質となりその円筒に伴うその多孔質は吸引の補助役となりその多孔質全体に係る外側面が全てブラシ部になりかわりその外側面なるその多孔質のその孔部が埃を運ぶ前記孔部となりこれも一例となるがその多孔質を外側部材とし内側部材を吸収性の有する部材として吸収を有する形成部材としてもよいとする。
【００４６】
図１３は前記で記した図１１の電気掃除機２のノズル３１の吸引なる効果を示
したものとなりそのノズルは大きくそのノズルに係る吸引口も大きいほどその開
閉蓋による吸引の力を大幅に大小変化を与える吸引力とすることができるものと
なり吸引力を有さない掃除面と吸引力の有す掃除面のその前記大幅な大小変化を
与える形成にすると多面の掃除面で吸引力の多数の選択肢ができる形成となるそ
のようなノズルで有り（ａ）は仮に最高吸引なるハンド掃除機２を使用し従来ノ
ズル６０での吸引実験効果を記したものとなりその電気掃除機２の本体は最高吸
引をなせる機能を兼ねそなえており仮説明となるがその吸引口に手をあてると
の手が引っ張られるような吸引であり通常の掃除では活躍できる前記電気掃除機
２となりその従来ノズル６０により鉄のネジ５９による実験をしたものとなり仮
に６．４ミリの鉄ネジ５９をその従来ノズル６０でそのネジ５９は吸引に係る埃
の重さの中で最高レベルの重さを有する為その吸引による持ち上げができないと
いう簡単なる実験により示したものとなり（ｂ）はその（ａ）で使用なる最高な
る電気掃除機２でのその従来ノズル６０を実用新案なるその吸引口を開閉できる
開閉蓋を仮に９割閉鎖してその前記同じものとなる鉄ネジ５９をその吸引口で吸
引した結果その重たい鉄ネジ５９が持ち上がることを記したものとなり（ｃ）は
従来の隙間ノズル６１でその同じものとなる鉄ネジ５９はその吸引による持ち上
げが可能だということを記したものとなり（ｄ）は前記で記した（ａ）〜（ｃ）
のそれらのノズルでの吸引力面でのその実用新案なる開閉式ノズル３１を仮に例
えると前記隙間ノズル６１+従来ノズル６０はその前記開閉式ノズル３１となり
その開閉式ノズル３１の効果のほんの一部となるがカーペットなどの繊維に絡む
埃をその隙間ノズル６１に変えることなくその開閉式ノズル３１で二役となり
（ｅ）はその前記開閉ノズルなる開閉蓋による開閉の仕方は複数となりその図の
ように仮に開閉蓋で吸引口を閉鎖することによりそのノズル３１には前記図１１
で記した前方の吸引口８での今までなしえなかった垂直部の掃除が体の傾きを必
要とせずにその垂直面に対して真っすぐあてることができて手軽なその掃除がで
きるものとし仮に天井の埃やその天井に係る照明や部材なども工夫次第で掃除で
きるものとなりその前記垂直面に対して真っすぐあてることができる吸引面では
隙間ノズル６１のような吸引を有するものへと形成なる効果を有する電気掃除機
２のノズル３１となり例えばそのノズルが大きくそのノズルに係る吸引口が大き
いほどその開閉蓋による吸引の力を大幅に大小変化を与える吸引力とすることが
できるので吸引力を有さない掃除面と吸引力の有す掃除面のその前記大幅な大小
変化を与える形成にすると多面の掃除面で吸引力の多数の選択肢ができる形成と
なる。
【００４７】
図１４は前記第一のカバー５３の該カバー材部に液体６４を設けたことを特徴
とすることを示して(ａ)はガラスのコップに水を入れその水からなる液体６４部
と空洞部のそれらの音の伝わりかたを示したものとなりその液体６４部に係るコ
ップ部を棒で軽く叩くとその液体６４部はその棒なるコップとの接触音はその液
体６４によりその前記接触音が分散されて軽減されるという簡単なる実験効果を
示したものとなりそのコップなる空洞部に係るその前記コップ部を前記棒で軽く
叩くとその空洞部は低減をなすがその液体部に比べると約三分の一の違いがある
ということをその接触音の大きさを矢印の太さや長さにより示したものとなり
（ｂ）はその第一のカバー５３に係る外側部材３の多孔質部４に水を注げるような
形状で形成しその掃除機２に係る排気音１３は液体６４を中間に挟むことによっ
てその排気音や排気力１３による振動が軽減するということを示したものとなり
前記水を注げるような形状は後期で記すこととなるが（ｃ）は仮に業務用の掃除機
２でその液体６４を設けた第一のカバー５３に係る仮に外側部材３に設け取り付
けたことを示してその業務用なる掃除機２は高騒音を有し又それに係る振動音１
３も高い為お客様の相手の電気掃除機とするとやはり低騒音の掃除機が理想なる
為や掃除職人はその電気掃除機２なる騒音１３を一時間は聞くこともある為この
効果をその業務用の掃除機として使用してもよいとしその液体部６４に係る材部
に水の出し入れ口を設けてもよいし（ｄ）は（ｂ）で記した多孔質部に水を注げる
ような形状の一例を示しそのように多孔質部４と液体６４部を仕分けした構造に
してもよいとしその液体粘度の高いもので出し入れできない形成で形成してもよ
いとする。
【００４８】
図１５は一例なる形成は複数形成となるが考案に係る形成部材でのその前記形成部材の排気音低減効果によるその前記低減のまとめを記したものとなり（ａ）は電気掃除機２の通常の排気口１１によるその通常排気音１３を示してその排気１３による音の大きさを仮に通常排気音三としてその吸引力音をその数字により示して（ｂ）は前記第二のカバー部材７からなる前記で記した軍手１８のような前記排気抵抗を与えることのできる繊維５１によるその通気性にした部材でその通常の排気口１１の周りから離間してもよいが仮に覆うように被せたことを示してその前記覆うことによりその前記排気音１３はそのことにより低減されてその前記低減されたその排気音１３を仮に低減された排気音の二としてその排気の音の大きさをその数字により示して前記通常排気音三を一低減させてその前記排気音をそこで二とし（ｃ）はその前記第二のカバー部材７でその排気口周りを覆ったその排気音１３の低減なしたその排気口１１周りを覆うように前記内側部材６と外側部材３のそれらの第一のカバー５３による形成部材でその前記排気口１１周り覆うように被せ設けてその排気口を高密封しその前記高密封によりその排気口１１からなるその排気音１３は外気への伝わりを低減させてその低減させた排気音１３を仮に低減された排気音一としてその前記第二のカバー部材７で低減したその前記排気音二は一低減させてその排気音をそこで一としてその排気音１３の大きさをその数字により示し目安による低減をこれにより示し前記第一のカバー５３による密封度は実験では約９５％の密封度で行い良となる前記実験効果を得たがその密封度は仮となるが前記離間形成により排気のエネルギーを低減なせる形成となる為もう少し密封度を上げることも可能とし仮にその九十五％を無難な密封度としその密封度を高められる形成ということは排気音１３が低減なせる形成ということに繋がり（ｄ）は仮に排気音１３を六十％の低減効果なせる電気掃除機２の内部仕組みによる形成部材のその形成により低騒音なる未来に向けた良なる電気掃除機２は多数あるが仮にその六十％の残りとなる四十％をその統合されたカバー部材１で排気口１１の外部による仕組みによる形成により前記で記した排気音１３の仮となる低減数字の低減なされた前記排気音一は排気音三からの二低減となりそれらの数字値は仮となるが三分の一の低減と同じこととなりその残り四十％の排気音の未来にむけた良なる電気掃除機２をその前記外部によった仕組みによる形成のその四十％から三分の一の低減をなせるということは排気音百％が約十三％の排気音となりその考案による形成部材をプラスすることによりその良なる電気掃除機は約八十七％の排気音の低減が得られ、示した１例を追加なり形成次第により九十％を超える排気音の低減効果なせる電気掃除機を制作することも可能となりその排気音１３に共なる部材振動２２の低減を次により説明するものとなりその低減率は部材形成により高めることは可能となり正規な低減数値は工業試験によるものとなる。
【００４９】
図１６は考案に係る形成部材や一例からなるそれらの形成部材でのその前記形
成部材の排気力１３やその前記排気音のそれらによる部材振動２２への低減効果
のまとめを記したものとなり（ａ）は電気掃除機の通常の排気口による吹き出し
の排気による部材振動の大きさを仮に通常部材振動率三としてその部材振動２２
をその数字により示して（ｂ）は前記で記した第二のカバー部材７を離間として
もよいがその通常排気口１１を仮に覆うように被せ排出抵抗を与えたその前記排
出抵抗を与えたことによりその前記通常の排気口１１による吹き出しはその排出
抵抗を与える壁により低減されて部材への振動の低減をなせるものとなり仮にそ
の前記低減した部材振動率２２を部材振動率二として前記通常部材振動率三を一
低減しその前記部材振動率をそこで二とし（ｃ）はその前記第二のカバー部材７
でその排気口１１周りに覆ったその部材振動率２２を低減なしたその排気口１１
周りに設けるように空気層を兼ねる前記弾力部材５と多孔質４からなる第一のカ
バー５３のそれらの部材による形成部材でその前記排気口周り覆うように仮に離
間４３させるように被せてその前記離間４３によりその排気１３からなる排出を
直接伝えることなく間接的に伝えるものとし更に第二のカバー部材７の後方に空
洞室５４を設けたことによりその空洞室５４によりその低減した排気を弱めるこ
とやその弱めることに係る排気移動の一例となるが排気移動なる排気回転や排気
の屈折移動のそれらの繰り返しのできる空洞部としてそこで排気力１３を弱めて
その弱めた排気力を一例となるが仮にその前記第一のカバー５３内に複数の仕切
り９を設け該複数の仕切り９に一つ以上の第一の排出口１０を設けたそのことに
よりその複数からなるその前記複数の仕切り９による壁によりその排気音やその
排気からなる排気力１３の低減を繰り返せる形成部材としてその排気力からなる
排気１３のその通気はその前記一つ以上の第一の排出口１０により通過なすもの
としてその低減された排気１３を前記第二の排出口３４により排出するものとな
り又その前記空気層を兼ねる弾力部材５と多孔質４からなる第一のカバー５３の
それらによる空孔部やその弾力部材による弾力形成により部材への振動２２を低
減なせる形成部材としてそれらをまとめると一例となるが離間４３又は空洞室５
４及び前記複数からなる仕切り９又はその空気層を兼ねる弾力部材５のその空気
層なる空孔部やその弾力又はその前記多孔質４からなる第一のカバー５３のその
多孔質からなる空孔部のそれらを全て統合した利点を兼ねる形成部材でのそのよ
うに仮に統合されたカバー部材１で部材への振動２２を低減させてその部材振動
率の低減したその前記部材振動率二をその統合により部材振動率の低減なしたそ
の部材振動率を一としその前記部材振動率二から一低減させてその部材振動率を
そこで一としその弾力部材などは肉厚を厚めに形成してもよいとしその振動率の
効果をそのことにより高めてもよいとし目安によるその低減をこの数字より示し
（ｄ）は一例となるが元なる電気掃除機２の排気口１１に係るその排気口部材を
その排気口に係る孔部面の仮に６割以上面に直接排気抵抗を施しその施した排気
口１１を第二のカバー部材７を設けた一例となり、前記で記してきた統合された
排気音低減カバー１の効果は将来車のマフラーやコンプレッサーなどの動力から
なる排気を必要とするあらゆる製品部材のＥＣＯとなる低減効果にも役立つ形成
部材となることでしょう。                                                        
【符号の説明】
【００５０】
１  考案に係る統合された電気掃除機の排気音低減カバー
２  電気掃除機
３  外側部材
４  外側面からなる多孔質の空孔部又は部材からなる多孔質
５  内側面の弾力空気層
６  内側部材
７  第二のカバー部材      
８  ノズルの前方口
９  複数の仕切り
１０  第一の排出口
１１  電気掃除機の排気口
１２  部材の取付け方向を示す矢印
１３  排気力又は排気及び排気音
１４  ドアによる仕切り
１５  作業をする人又は喜ぶ人
１６  ブラシ
１７  硬質部材
１８  軍手
１９  高硬度なスポンジ
２０  水道の蛇口
２１  掃除機形状に合わせた形状部
２２  部材振動
２３  音楽室や映画館の壁からなる多孔質    
２４  網目部材又は網目
２５  消臭部材
２６  有害物質を取る部材
２７  ハウスダスト
２８  細菌＝悪臭
２９  地球  及び地球のきれいな部分
３０  高硬度部材
３１  電気掃除機のノズル又は開閉ノズル
３２  カナズチ
３３  低硬度部材
３４  第二の排出口又は第一のカバーの前部
３５  シリコン
３６  該多硬質部にシリコンを設けた部材
３７  綺麗を示す星
３８  ノズルの下方口
３９  開閉蓋
４０  ノズルの第一の吸引口
４１  回転風車
４２  凹部を有する弾力部材
４３  離間を示す矢印又は離間
４４  排気口の総面積を少なくすることのできる開閉式二次カバー部材
４５  排気口に設けた開閉蓋のレバー部
４６  第一のカバー部材の該第一のカバー材部に設けた開口部
４７  部材の動きを示す線
４８  開口部に設けた開閉する第一の開閉蓋
４９  セラミック材
５０  軽量部材
５１  繊維
５２  セラミック繊維
５３  混合により統合された第一のカバー部材
５４  空洞室
５５  段ボール
５６  ドライヤー
５７  軽石
５８  電気掃除機の内部構造により４０％低減なされた未来に向ける電気掃除機
５９  鉄ネジ
６０  従来ノズル
６１  隙間ノズル
６２  第一のカバー内
６３  第二の開閉蓋
６４  液体
６５  凹部と凸部
６６  弾力部材
【図１】
0003185925.tif 000003
【図２】
0003185925.tif 000004
【図３】
0003185925.tif 000005
【図４】
0003185925.tif 000006
【図５】
0003185925.tif 000007
【図６】
0003185925.tif 000008
【図７】
0003185925.tif 000009
【図８】
0003185925.tif 000010
【図９】
0003185925.tif 000011
【図１０】
0003185925.tif 000012
【図１１】
0003185925.tif 000013
【図１２】
0003185925.tif 000014
【図１３】
0003185925.tif 000015
【図１４】
0003185925.tif 000016
【図１５】
0003185925.tif 000017
【図１６】
0003185925.tif 000018
【手続補正書】
【提出日】平成25年7月4日(2013.7.4)
【手続補正１】
【補正対象書類名】実用新案登録請求の範囲
【補正対象項目名】全文
【補正方法】変更
【補正の内容】
【実用新案登録請求の範囲】
【請求項１】
電気掃除機（２）の排気口（１１）に外側面（３）を多孔質（４）とし更に内側面（６）に弾力空気層（５）を有する第一のカバー（５３）を着脱自在に設け、前記排気口（１１）からの排気（１３）に排出抵抗を与える第二のカバー部材（７）を第一のカバー内（６２）に設け、前記第二のカバー部材（７）の後方に空洞室（５４）を設け、排気（１３）を第一カバー（５３）の前部（３４）に設けた第二の排出口（３４）から排出させることを特徴とする電気掃除機の排気音低減カバー。
【請求項２】
前記第一のカバーの外側部材をセラミック繊維材と軽量部材を混合した部材としたことを特徴とする請求項１記載の電気掃除機の排気音低減カバー。
【請求項３】
前記第二のカバー部材を該第二のカバー材部に有害物質をとる部材及び消臭部材を設けたことを特徴とする請求項１記載の電気掃除機の排気音低減カバー。
【請求項４】
前記第二のカバー部材を繊維としたことを特徴とする請求項１記載の電気掃除機の排気音低減カバー。
【請求項５】
前記第二のカバー部材を多孔質としたことを特徴とする請求項１または３記載の電気掃除機の排気音低減カバー。
【請求項６】
前記第二のカバー部材を着脱可能としたことを特徴とする請求項１または３記載の電気掃除機の排気音低減カバー。
【請求項７】
前記第一のカバーを該第一のカバー材部に開口部を設け前記開口部の該開口部に第一の開閉蓋を設け及び第二のカバー部材を該第二のカバー材部に前記排気口に排出の排気抵抗率を変える可動可能な段階的に調整可能とする第二の開閉蓋を設けたことを特徴とする請求項１記載の電気掃除機の排気音低減カバー。
【請求項８】
前記第一のカバー及び第二のカバー部材を高硬度としたことを特徴とする請求項１記載の電気掃除機の排気音低減カバー。
【請求項９】
前記第一のカバー及び第二のカバー部材を低硬度としたことを特徴とする請求項１または８記載の電気掃除機の排気音低減カバー。
【請求項１０】
前記第一のカバー内に複数の仕切りを設け該仕切りに一つ以上の第一の排出口を設けたことを特徴とする請求項１記載の電気掃除機の排気音低減カバー。
【請求項１１】
前記第一のカバーの該カバー材部に液体を設けたことを特徴とする請求項１記載の電気掃除機の排気音低減カバー。
【請求項１２】
前記電気掃除機の排気口と第二排出口及び第一のカバー及び第二のカバー部材を離間したことを特徴とする請求項１記載の電気掃除機の排気音低減カバー。
【請求項１３】
前記第二の排出口に着脱可能な通気を有せる多孔質部材を設け該多孔質材部にシリコンを設けた部材としたことを特徴とする請求項１記載の電気掃除機の排気音低減カバー。
【手続補正２】
【補正対象書類名】図面
【補正対象項目名】全図
【補正方法】変更
【補正の内容】
【図１】
0003185925.tif 000019
【図２】
0003185925.tif 000020
【図３】
0003185925.tif 000021
【図４】
0003185925.tif 000022
【図５】
0003185925.tif 000023
【図６】
0003185925.tif 000024
【図７】
0003185925.tif 000025
【図８】
0003185925.tif 000026
【図９】
0003185925.tif 000027
【図１０】
0003185925.tif 000028
【図１１】
0003185925.tif 000029
【図１２】
0003185925.tif 000030
【図１３】
0003185925.tif 000031
【図１４】
0003185925.tif 000032
【図１５】
0003185925.tif 000033
【図１６】
0003185925.tif 000034
【手続補正３】
【補正対象書類名】明細書
【補正対象項目名】００３８
【補正方法】変更
【補正の内容】
【００３８】  図５の(ａ)と（ｂ）は前記排気１３を第一カバー５３の前部３４に設けた第二の排出口３４から排出させる又前記電気掃除機の排気口と第二排出口を離間したことのそれらを示してその排気口の後方からとその前記前部の距離により電気掃除機の排気口１１から排出されたその排気１３はその統合されたカバー部材１を伝い間接的にその排気１３をなせるものとしその排気やその排気に係る排気音及び排気力１３をその距離により低減なせる形成としたものとなりその前記低減された排気１３によるそれらのエネルギーは減少されている為その低排気１３に係る排気口３４は小さくともよいものとなりその為前記第二の排気口３４のその総面積をその低減排気量１３に比例して小さく形成することができて更にその前部に設けたことによる離間やさまざまな離間により胸に排気を浴びない形成部材とすることもできて（ｃ）から（ｅ）は考案に係る部材説明をしたものとなり前記で記した図４の第一のカバー５３の内側面６に弾力空気層５を有するその弾力を有する部材の効果を記したものとなり（ｃ）はその前記弾力を有する空気層を兼ねる形成部材５の一例となりその弾力部材はクッションを有する為音の振動をそのクッションにより和らげることができて尚その弾力を有すると共に空気層を兼ねる形成部材である為更に音の伝わりをその空気層からなるその空孔部により音の伝えにくい空間となりその前記多孔質４からなる第一のカバー５３と共に部材振動２２やその部材振動２２に係る振動音２２を効率的に和らげることができ仮にこの弾力を有する部材を厚みのある形成としてもよいので三層とすることもなく（ｄ）は仮に前記第一のカバー５３の内側面に設ける弾力部材５を硬質部材１７により      仮に示してその部材は多孔質４を有することなくその硬質部材１７で形成したものとなりその排気１３に係るその排気力１３は力強いものとなりその力強い排気による振動２２を軽減させる形成個所がその硬質部材１７にはない為その硬質からなるカバー部材の内側面にその排気１３によるエネルギーの伝導が直接伝わりその内側面に伴う外側面への伝導率となりその伝導による振動２２を肌でも感じるものとなり（ｅ）は（ｃ）で記した弾力を有する空気層を兼ねる形成部材５の一例となりその弾力部材５はクッションを有する為音の振動２２をそのクッションにより和らげることができて尚その弾力を有すると共に空気層を兼ねる形成部材５である為その空気層５のその空孔部は空間な為音の伝わりにくいその空孔部としてそれらの複数の部材への振動を低減なせる形成としてその弾力を有する部材５の内側面６への前記排気１３によるエネルギーの伝導率を低減して伝えたその外側面３伝導率となりその弾力を有する空気層５を兼ねる形成部材の内側面６は洗浄しすいように表面は平らな形成にするとよいし前記弾力を有する形成部材５なので弾性部材とその弾性部材の該片側面に高硬度を有す樹脂部材を設けたとしてもよいとしその前記平らにすることにより洗浄がしやすくなる。
【手続補正４】
【補正対象書類名】明細書
【補正対象項目名】００４０
【補正方法】変更
【補正の内容】
【００４０】    図７は前記第二のカバー材部に前記排気口に排出の排気抵抗率を変える可動可能な段階的に調整可能とする第二の開閉蓋のその前記第二の開閉蓋の段階固定やその第二の開閉蓋の形状一例を示したものとなり（ａ）は電気掃除機の排気口のその排気口に前記第二の開閉蓋を設けたものとなり（ｂ）は開閉蓋の端部に弾力部材を使用して仮にその弾力部材を弾性部材のゴムとしそのゴムによる伸縮効果を利用したその開閉蓋の段階固定としたものとなり（ｃ）はその前記で記した（ｂ）の段階固定の弾性部を凸部の有する部材に変えてその凸部を利用した凹凸による段階固定を示したものとなり（ｄ）はその第二の開閉蓋を複数の孔部を有する開閉蓋としその孔部を有することによりその部材を前記軍手のような通気性とすることもできてその掃除機に係る排気が安定した排気となる。
【手続補正５】
【補正対象書類名】明細書
【補正対象項目名】００４４
【補正方法】変更
【補正の内容】
【００４４】  図１１は前記第二の排出口３４に着脱可能な通気を有せる多孔質部材を設け該多孔質材部にシリコン３５を設けた部材としたことを特徴とすることを示して仮に一例となるが（ａ）は網目２４からなる樹脂部材を複数層に重ねて多孔質形成としてそれを通気を有せるその形状部材としてもよいとし（ｂ）はその（ａ）で記したその前記複数層を仮にその第二の排気口３４に設けた概略図となり（ｃ）は部材形成の一例となりその前記多孔質部材の該多孔質材部にシリコン３５を設けた部材としたものとなり（ｄ）は（ｃ）の前記で記したその多孔質部材の該多孔質材部にシリコン３５を設けた部材の効果を示したものとなり前記第二のカバー部材７で微小なる埃やダニを高シャットしている為その第二の排気口３４からなるその前記第二の排気口３４に設けたその該多孔質材部にシリコン３５を設けたその第二の排気口３４は微量なる埃やダニの通過となるがその前記シリコン３５はその微量なる埃やダニが付着しやすい部材となり確実に綺麗な排気をなせるものとしその多孔質部材は着脱可能な為簡単に取り外しができて清潔なる前記第二の排気口３４とし御病人を抱える家庭やハウスダスト２７が気になる人はシリコン３５の多孔質を使用してもよいとしそれらにあたらない家庭ではこの考案一例を使わずにシリコンのない多孔質を使用してもよいしこのシリコン３５は人それぞれの好みに値するのでそれらを２枚形成して付属してもよいとする。
【手続補正６】
【補正対象書類名】明細書
【補正対象項目名】００４５
【補正方法】変更
【補正の内容】
【００４５】  図１２は電気掃除機２の制作一例を示して前に考案した現在実用新案登録なる電気掃除機のノズル３１と今回の考案なる電気掃除機の排気音低減カバー１を統合して示したものとなり（ａ）は前記電気掃除機のノズル３１の一部効果となるものを記したものとなりそれはそのノズル３１に複数の吸引口を備えてなる電気掃除機２において前記ノズル３１の底面の中央部に第一の吸引口４０を設け、該第一の吸引口４０と離間して第二の吸引口を前記ノズルの前部の先端に下方３８からの吸引口と前方からの吸引口８を設け、前記第一の吸引口４０を開閉蓋３９で開閉可能としたことを特徴とするものが前記実用新案登録なるものでありその前記前方８からの吸引口では掃除面に係る垂直部からなる多面による掃除ができてその垂直部の一例として一般家庭ではソファーや家具などの垂直部や網戸やカーテンに付着した埃や微生物によるハウスダスト２７又は家電や製品なる垂直部や  建築物に係る垂直部のそれらが一般家庭での垂直掃除場所の一例となり自動車又  は乗り物ではそれらの内装の垂直部となり会社又は店舗では建築物に係る垂直部  や機械や製品に係る垂直部となりペットではそれらの垂直部に係りやすいしつこ  いペットの毛となりそれらの多目的吸引を兼ね備えるノズル３１となりそのノズ  ル３１は掃除場所に応じて吸引力の調節ができる為最終吸引はその電気掃除機が  持つ能力での最高なものとなりその前記最高は後期となる次の図の１３で記すこ ととなり（ｂ）は一例となるが前記で記した電気掃除機２のノズル３１の第一の吸  引口４０に着脱可能な回転風車４１を設けたものとなりその電気掃除機２のノズ  ル３１は吸引力を高めることができる為一例となるがその回転風車４１と共に吸  引口の開閉ができるようにその前記第一の吸引口４０の該吸引口材部に取り付け  たものとなり（ｃ）は前記で記した（ｂ）の一例となるが回転風車４１の着脱可能  方法を記してその回転風車４１は髪の毛や糸くずなどが絡みやすい為この着脱効  果は良効果となりその前記着脱方法は回転風車４１の左右端部に凸部を突出させ  て尚その吸引口の左右端部に弾力を有する凹部４２からなる部材を設けそれらの  凹凸により着脱可能としそれは前記着脱効果によるその着脱効果は多数なるが着  脱の一部となる一例となり、例えば仮にその凹部４２を複数形成とし取り付け場所  の選択肢できる着脱形成とてもよいとしワンタッチボタンでその凹部かもしくは  その凸部が可動するような簡単に取り外せる着脱としてもよいし（ｄ）は仮に一例  となるが前記で記した電気掃除機２のノズル３１と前記電気掃除機の排気音低減  カバー１のそれらで仮に電気掃除機２の組み合わせをその前記一例を記し例えば  前記電気掃除機２のノズル３１で例えて説明し消費者には有る程度の機能性を兼  ねるもので安価で購入したい人もいれば完璧な機能性を兼ねるもので高価で購入  したい人もいてそれらは人それぞれであり仮に前記電気掃除機２のノズル３１と  開閉蓋３９の簡単なる組み合わせにしてコストを削減して安価で販売してもよい  しその前記電気掃除機２の排気音低減カバー１もそのような製作によりコストを  抑えてもよいとし（ｅ）は仮に前記電気掃除のノズル３１を簡単に制作しやすいよ  うにそ��前記コストを削減を解りやすいように示しそのノズル３１に係る開閉蓋  ３９をその前記ノズル３１の底面部に平行して設けた為中の構造を難解制作とせ  ずにその底面部でできるものとなる為その制作によるコストを削減できる部材形  成となり安価で販売もできるような形成ともすることができてこのように制作し  てもよいとしその前記安価な構造と高価な機能性を兼ねるその考案に係る一例に  よりその一例をプラスしその複数を同時に制作してもよいとしそれらをノズルの  みで販売してもよいとし、その図のすみ三角形の頂点をさす方向の風車部材４１に      よるブラシ部はその開閉蓋に少し接触しても回転をきたすということを実験によりなしえてその開閉蓋３９は正常に閉まることを記しそのノズルの底面部からそのブラシを少し突出させることもでき又その風車の一例となるが円筒状に形成した風車部材４１の円筒状の外側面から仮となるが約５ミリの肉厚なる多孔質形成としその多孔質はセラミック繊維で形成してもよいがブラシ部をもたないその風車部材４１に絡むその絡みは前記円筒状に伴う髪の毛や糸くずとなりそれらの取れやすいその円筒状として形成してその電気掃除機２のノズルにそれを統合させてもよいしそれは前記で記した凹凸を利用した着脱方法を使用することもできてまたその多孔質はセラミック繊維でなくてもよくて弾力を有する多孔質形成で有ればよいとする一例となる形成となるが前記５ミリによる肉厚を高めすぎると埃が詰りやすい多孔質となりその円筒に伴うその多孔質は吸引の補助役となりその多孔質全体に係る外側面が全てブラシ部になりかわりその外側面なるその多孔質のその孔部が埃を運ぶ前記孔部となりこれも一例となるがその多孔質を外側部材とし内側部材を吸収性の有する部材として前記吸収を有する形成部材としてもよいとする。
【手続補正７】
【補正対象書類名】明細書
【補正対象項目名】００４６
【補正方法】変更
【補正の内容】
【００４６】      図１３は前記で記した図１１の電気掃除機２のノズル３１の吸引なる効果を示したものとなりそのノズルは大きくそのノズルに係る吸引口が大きいほどその開閉蓋による吸引の力を大幅に大小変化を与える吸引力とすることができるものとなり吸引力を有さない掃除面と吸引力の有す掃除面のその前記大幅な大小変化を与える形成にすると多面の掃除面で吸引力の多数の選択肢ができる形成となるそのようなノズルで有り（ａ）は仮に最高吸引なるハンド掃除機２を使用し従来ノズル６０での吸引実験効果を記したものとなりその電気掃除機２の本体は最高吸引をなせる機能を兼ねそなえており仮説明となるがその吸引口に手をあてるとその手が引っ張られるような吸引であり通常の掃除では活躍できる前記電気掃除機２となりその従来ノズル６０により鉄のネジ５９による実験をしたものとなり仮に６．４ミリの鉄ネジ５９をその従来ノズル６０でそのネジ５９は吸引に係る埃の重さの中で最高レベルの重さを有する為その吸引による持ち上げができないという簡単なる実験により示したものとなり（ｂ）はその（ａ）で使用なる最高なる電気掃除機２でのその従来ノズル６０を実用新案なるその吸引口を開閉できる開閉蓋を仮に９割閉鎖してその前記同じものとなる鉄ネジ５９をその吸引口で吸引した結果その重たい鉄ネジ５９が持ち上がることを記したものとなり（ｃ）は従来の隙間ノズル６１でその同じものとなる鉄ネジ５９はその吸引による持ち上げが可能だということを記したものとなり（ｄ）は前記で記した（ａ）から（ｃ）のそれらのノズルでの吸引力面でのその実用新案なる開閉式ノズル３１を仮に例えると前記隙間ノズル６１+従来ノズル６０はその前記開閉式ノズル３１となりその開閉式ノズル３１の効果のほんの一部となるがカーペットなどの繊維に絡む埃をその隙間ノズル６１に変えることなくその開閉式ノズル３１で二役となり（ｅ）はその前記開閉ノズルなる開閉蓋による開閉の仕方は複数となりその図のように仮に開閉蓋で吸引口を閉鎖することによりそのノズル３１には前記図１１で記した前方の吸引口８での今までなしえなかった垂直部の掃除が体の傾きを必要とせずにその垂直面に対して真っすぐあてることができて手軽なその掃除ができるものとし仮に天井の埃やその天井に係る照明や部材なども工夫次第で掃除できるものとなりその前記垂直面に対して真っすぐあてることができる吸引面では隙間ノズル６１のような吸引を有するものへと形成なる効果を有する電気掃除機２のノズル３１となり例えばそのノズルが大きくそのノズルに係る吸引口が大きいほどその開閉蓋による吸引の力を大幅に大小変化を与える吸引力とすることができるので吸引力を有さない掃除面と吸引力の有す掃除面のその前記大幅な大小変化を与える形成にすると多面の掃除面で吸引力の多数の選択肢ができる形成となる。